(57)【要約】【課題】発信元ＩＰ電話装置や転送先ＩＰ電話装置と特殊な連携を行うことなくＩＰ電話の着信転送を実現させる。【解決手段】ＩＰ電話装置３００において、転送設定制御部３１０には転送先のＩＰ電話装置の番号が予め設定されている。発信元ＩＰ電話装置からインターネット１０００を介して第１のＩＰ電話の着信を受けると、着信転送起動制御部３３０はその着信を呼出中状態に保持したまま、転送先ＩＰ電話装置に対して第２のＩＰ電話の発信を行い、転送先がその発信に応答して第２のＩＰ電話の通話の確立後に、呼出中状態の第１のＩＰ電話の着信に応答して第１のＩＰ電話の通話を開始させ、第１のＩＰ電話の音声と第２のＩＰ電話の音声とを中継転送する。【選択図】      図２
2007049281.tif 000002
【特許請求の範囲】
【請求項１】
インターネットからの第１のＩＰ電話通信の着信を、転送先ＩＰ電話装置へ着信転送する着信転送機能を有するＩＰ電話装置であって、
前記第１のＩＰ電話通信の着信を呼出中状態に保持したまま、予め設定された前記転送先ＩＰ電話装置に第２のＩＰ電話通信の発信を行い、
この第２のＩＰ電話通信が開始されたことを認識してから、前記呼出中状態の第１のＩＰ電話通信の着信に応答して前記第１のＩＰ電話通信を開始し、
前記第１のＩＰ電話通信の音声データと前記第２のＩＰ電話通信の音声データとを中継転送することを特徴とするＩＰ電話装置。
【請求項２】
インターネットからの第１のＩＰ電話通信の着信を、転送先ＩＰ電話装置へ着信転送する着信転送機能を有するＩＰ電話装置であって、
前記第１のＩＰ電話通信の着信を呼出中状態に保持したまま、予め設定された前記転送先ＩＰ電話装置に第２のＩＰ電話通信の発信を行い、この第２のＩＰ電話通信が開始されたことを認識してから、前記呼出中状態の第１のＩＰ電話通信の着信に応答して前記第１のＩＰ電話通信を開始させる着信転送起動制御手段と、
前記第１のＩＰ電話通信の音声データと前記第２のＩＰ電話通信の音声データとを中継転送する転送制御手段と、
を備えることを特徴とするＩＰ電話装置。
【請求項３】
インターネットからの第１のＩＰ電話通信の着信を、転送先ＩＰ電話装置へ着信転送する着信転送機能を有するＩＰ電話装置であって、
前記転送先ＩＰ電話装置の番号を予め設定する転送設定制御手段と、
前記第１のＩＰ電話通信の着信を呼出中状態に保持したまま、前記転送先ＩＰ電話装置に第２のＩＰ電話通信の発信を行い、この第２のＩＰ電話通信が開始されたことを認識してから、前記呼出中状態の第１のＩＰ電話通信の着信に応答して前記第１のＩＰ電話通信を開始させる着信転送起動制御手段と、
前記第１のＩＰ電話通信の音声データと前記第２のＩＰ電話通信の音声データとを中継転送する転送制御手段と、
を備えることを特徴とするＩＰ電話装置。
【請求項４】
インターネットを介しての発信元ＩＰ電話装置からの第１のＩＰ電話通信の着信を、転送先ＩＰ電話装置へ着信転送する着信転送機能を有するＩＰ電話装置であって、
着信転送対象となる発信元ＩＰ電話装置の番号と、その発信元ＩＰ電話装置からの着信の転送先のＩＰ電話装置の番号とを対にして予め設定する転送設定制御手段と、
前記第１のＩＰ電話通信の発信元が前記転送設定制御手段に設定された着信転送対象であることを認識すると着信転送機能の起動を行う着信判定制御手段と、
この着信判定制御手段の起動を受け、前記第１のＩＰ電話通信の着信を呼出中状態に保持したまま、前記転送設定制御手段に前記発信元ＩＰ電話装置と対として設定されている転送先ＩＰ電話装置に第２のＩＰ電話通信の発信を行い、この第２のＩＰ電話通信が開始されたことを認識してから、前記呼出中状態の第１のＩＰ電話通信の着信に応答して前記第１のＩＰ電話通信を開始させる着信転送起動制御手段と、
前記第１のＩＰ電話通信の音声データと前記第２のＩＰ電話通信の音声データとを中継転送する転送制御手段と、
を備えることを特徴とするＩＰ電話装置。
【請求項５】
インターネットを介しての発信元ＩＰ電話装置からの第１のＩＰ電話通信の着信を、転送先ＩＰ電話装置へ着信転送する着信転送機能を有するＳＩＰ方式のＩＰ電話装置であって、
着信転送対象となる発信元ＩＰ電話装置の番号と、その発信元ＩＰ電話装置からの着信の転送先のＩＰ電話装置の番号とを対にして予め設定する転送設定制御部と、
前記第１のＩＰ電話通信の着信ＳＩＰメッセージを解析し、発信元ＩＰ電話装置が前記転送設定制御部に設定された着信転送対象であることを認識すると着信転送機能の起動を行う着信判定制御部と、
この着信判定制御部の起動を受け、前記第１のＩＰ電話通信の着信を呼出中状態に保持したまま、前記転送設定制御部に前記発信元ＩＰ電話装置と対として設定されている転送先ＩＰ電話装置に第２のＩＰ電話通信の発信を行い、この第２のＩＰ電話通信が開始されたことを認識してから、前記呼出中状態の第１のＩＰ電話通信の着信に応答して前記第１のＩＰ電話通信を開始させる着信転送起動制御部と、
前記第１のＩＰ電話通信の音声パケットと前記第２のＩＰ電話通信の音声パケットとを中継転送するパケット転送制御部と、
を備えることを特徴とするＩＰ電話装置。
【請求項６】
ＳＩＰサーバーの制御の元でインターネットを介して到来した、発信元ＩＰ電話装置からの第１のＩＰ電話通信の着信を、転送先ＩＰ電話装置へ着信転送する着信転送機能を有するＳＩＰ方式のＩＰ電話装置であって、
着信転送対象となる発信元ＩＰ電話の番号と、その発信元ＩＰ電話からの着信の転送先のＩＰ電話装置の番号とを対にして予め設定する転送設定制御部と、
前記ＳＩＰサーバーから受信した前記第１のＩＰ電話通信の着信を示すＳＩＰメッセージを解析し、発信元ＩＰ電話装置が前記転送設定制御部に設定された着信転送対象であることを認識すると着信転送機能の起動を行う着信判定制御部と、
この着信判定制御部の起動を受け、前記第１のＩＰ電話通信の着信について呼出中を示すＳＩＰメッセージを前記ＳＩＰサーバーに送信して呼出中状態に保持したまま、前記転送設定制御部に前記発信元ＩＰ電話装置と対として設定されている転送先ＩＰ電話装置への第２のＩＰ電話通信の発信を示す発信ＳＩＰメッセージを前記ＳＩＰサーバーに送信し、前記転送先ＩＰ電話装置がその第２のＩＰ電話通信の着信に応答して、第２のＩＰ電話通信が開始されたことを示す応答ＳＩＰメッセージを前記ＳＩＰサーバーから受信してから、前記呼出中状態の第１のＩＰ電話通信の着信に応答した事を示す応答ＳＩＰメッセージを前記ＳＩＰサーバーに送信して前記第１のＩＰ電話通信を開始させる着信転送起動制御部と、
前記第１のＩＰ電話通信の音声パケットと前記第２のＩＰ電話通信の音声パケットとを中継転送するパケット転送制御部と、
を備えることを特徴とするＩＰ電話装置。
【請求項７】
インターネットに接続された第１〜第３のＩＰ電話装置を備え、第１のＩＰ電話装置から第２のＩＰ電話装置への着信を、第３のＩＰ電話装置へ着信転送を行うＩＰ電話着信転送方式において、
前記第２のＩＰ電話装置が、
前記第１のＩＰ電話装置からのＩＰ電話着信を呼出中状態に保持したまま、予め設定された前記第３のＩＰ電話装置に別の発信を行い、この第３のＩＰ電話装置とのＩＰ電話通話が開始されたことを認識してから、前記呼出中状態の前記第１のＩＰ電話装置からの着信に応答して前記第１のＩＰ電話装置とのＩＰ電話通話を開始する着信転送起動手段と、
前記第１のＩＰ電話装置と送受信する音声データと前記第３のＩＰ電話装置と送受信する音声データとを中継転送する転送制御手段と、
を備えることを特徴とするＩＰ電話着信転送方式。
【請求項８】
前記第２のＩＰ電話装置は、着信転送対象となる前記第１のＩＰ電話装置の番号とその第１のＩＰ電話装置からの着信の転送先である第３のＩＰ電話装置の番号とを対にした転送情報を予め設定する転送設定制御手段を、更に備えることを特徴とする請求項７記載のＩＰ電話着信転送方式。
【請求項９】
前記転送設定制御手段は、複数個の前記転送情報の対を設定し、
前記第２のＩＰ電話装置は、更に、
ＩＰ電話通信の着信メッセージを解析し、前記転送設定制御手段の設定内容により、発信元ＩＰ電話装置が前記転送設定制御部に設定された着信転送対象であることを認識すると、認識された発信元ＩＰ電話装置と対になった転送先ＩＰ電話装置の番号を検出して前記着信転送起動手段に着信転送機能の起動を通知する着信判定制御手段を、
備えることを特徴とする請求項８記載のＩＰ電話着信転送方式。
【請求項１０】
インターネットに接続された第１〜第３のＩＰ電話装置及びＳＩＰサーバーを備え、第１のＩＰ電話装置から第２のＩＰ電話装置への着信を、第３のＩＰ電話装置へ着信転送を行うＳＩＰによるＩＰ電話の着信転送方式において、
前記第２のＩＰ電話装置が、
着信転送対象となる前記第１のＩＰ電話装置の番号とその第１のＩＰ電話装置からの着信の転送先である第３のＩＰ電話装置の番号とを対にした転送情報を予め設定する転送設定制御手段と、
前記ＳＩＰサーバーから受信したＩＰ電話の着信を示すＳＩＰメッセージを解析し、前記転送設定制御手段の設定内容により、発信元ＩＰ電話装置が着信転送対象である前記第１のＩＰ電話装置であることを認識すると、対になった転送先である前記第３のＩＰ電話装置の番号を検出して着信転送機能の起動を行う着信判定制御手段と、
この着信判定起動手段の起動を受け、前記第１のＩＰ電話装置からの着信を示すＳＩＰメッセージに対し、呼出中を示すＳＩＰメッセージを前記ＳＩＰサーバーに送信して前記着信を呼出中状態に保持したまま、前記第３のＩＰ電話装置への発信を要求するＳＩＰメッセージを前記ＳＩＰサーバーに送信し、前記第３のＩＰ電話装置がその呼に応答して第３のＩＰ電話装置とのＩＰ電話通信が開始されたことを示すＳＩＰメッセージを前記ＳＩＰサーバーから受信してから、前記呼出中状態の前記第１のＩＰ電話装置からの着信に応答した事を示すＳＩＰメッセージを前記ＳＩＰサーバーに送信して前記第１のＩＰ電話装置とのＩＰ電話通信を開始する着信転送起動手段と、
前記第１のＩＰ電話装置と送受信する音声パケットと前記第３のＩＰ電話装置と送受信する音声パケットとを中継転送する転送制御手段と、
を備えることを特徴とするＩＰ電話着信転送方式。
【請求項１１】
インターネットに接続されたＩＰ電話装置間で、第１のＩＰ電話装置から第２のＩＰ電話装置への着信を第３のＩＰ電話装置へ着信転送を行うＩＰ電話着信転送方法において、
前記第２のＩＰ電話装置が、
前記第１のＩＰ電話装置からのＩＰ電話着信を呼出中状態に保持したまま、予め設定された前記第３のＩＰ電話装置に別の発信を行い、
その第３のＩＰ電話装置とのＩＰ電話通話が開始されたことを認識してから、前記呼出中状態の前記第１のＩＰ電話装置からの着信に応答して前記第１のＩＰ電話装置とのＩＰ電話通話を開始し、
前記第１のＩＰ電話装置と送受信する音声データと前記第３のＩＰ電話装置と送受信する音声データとを中継する、
ことを特徴とするＩＰ電話着信転送方法。
【請求項１２】
発信元ＩＰ電話装置からインターネットを介して転送元ＩＰ電話装置に第１のＩＰ電話の着信が到来すると、その着信を転送先ＩＰ電話装置へ転送を行うＩＰ電話着信転送方法であって、
前記転送元ＩＰ電話装置が、
前記第１のＩＰ電話の着信を呼出状態に保持したままで前記転送先ＩＰ電話装置に第２のＩＰ電話の発信を行う第１の手順と、
前記転送先ＩＰ電話装置と前記転送元ＩＰ電話装置とが前記第２のＩＰ電話により通話状態になったことを認識する第２の手順と、
前記転送元ＩＰ電話装置は前記呼出状態に保持されたままの前記第１のＩＰ電話の着信に応答して前記第１のＩＰ電話を通話状態にする第３の手順と、
前記発信元ＩＰ電話装置から前記第１のＩＰ電話により受信した音声データを前記第２のＩＰ電話により前記転送先ＩＰ電話に転送し、前記転送先ＩＰ電話装置から前記第２のＩＰ電話により受信した音声データを前記第１のＩＰ電話により前記発信元ＩＰ電話に転送する第４の手順と、
を実行することを特徴とするＩＰ電話着信転送方法。
【請求項１３】
請求項１２記載のＩＰ電話着信転送方法であって、
前記転送元ＩＰ電話において前記第１の手順の前に、
前記第１のＩＰ電話の着信時に発信元ＩＰ電話の番号を検出し、着信転送対象の発信元電話番号に対応して予め設定されている転送先ＩＰ電話装置の番号を識別する第５の手順を実行し、
この第５の手順により識別された転送先ＩＰ電話装置に対して前記第２のＩＰ電話の発信を行うことを特徴とするＩＰ電話着信転送方法。
【請求項１４】
インターネットに接続された第１〜第３のＩＰ電話装置及びＳＩＰサーバーを備え、第１のＩＰ電話装置から第２のＩＰ電話装置への着信を、第３のＩＰ電話装置へ着信転送を行うＳＩＰによるＩＰ電話の着信転送方法において、
前記第２のＩＰ電話装置が、
着信転送対象となる前記第１のＩＰ電話装置の番号とその第１のＩＰ電話装置からの着信の転送先である第３のＩＰ電話装置の番号とを対にした転送情報を予め設定する第１の手順と、
前記ＳＩＰサーバーから受信したＩＰ電話の着信を示すＳＩＰメッセージを解析し、前記第１の手順の設定内容により、発信元ＩＰ電話装置が着信転送対象である前記第１のＩＰ電話装置であることを認識すると、対になった転送先である前記第３のＩＰ電話装置の番号を検出して着信転送機能の起動を行う第２の手順と、
この第２の手順の起動を受け、前記第１のＩＰ電話装置からの着信を示すＳＩＰメッセージに対し、呼出中を示すＳＩＰメッセージを前記ＳＩＰサーバーに送信して前記着信を呼出中状態に保持したまま、前記第３のＩＰ電話装置への発信を要求するＳＩＰメッセージを前記ＳＩＰサーバーに送信する第３の手順と、
前記第３のＩＰ電話装置がその呼に応答して第３のＩＰ電話装置とのＩＰ電話通信が開始されたことを示すＳＩＰメッセージを前記ＳＩＰサーバーから受信してから、前記呼出中状態の前記第１のＩＰ電話装置からの着信に応答し、その応答を示すＳＩＰメッセージを前記ＳＩＰサーバーに送信して前記第１のＩＰ電話装置とのＩＰ電話通信を開始する第４の手順と、
前記第１のＩＰ電話装置と送受信する音声パケットと前記第３のＩＰ電話装置と送受信する音声パケットとを中継転送する第５の手順と、
を実行することを特徴とするＩＰ電話着信転送方法。
【発明の詳細な説明】
【技術分野】
【０００１】
本発明はインターネットから受けたＩＰ（Ｉｎｔｅｒｎｅｔ  Ｐｒｏｔｏｃｏｌ）電話を他のＩＰ電話装置へ着信転送するＩＰ電話装置、ＩＰ電話着信転送方式及びＩＰ電話着信転送方法に関する。
【背景技術】
【０００２】
現在、ＩＰ電話の普及は目覚しいものがある。これはインターネットへの接続において、ＡＤＳＬ（Ａｓｙｍｍｅｔｒｉｃ  Ｄｉｇｉｔａｌ  Ｓｕｂｓｃｒｉｂｅｒ  Ｌｉｎｅ）/ＣＡＴＶ（Ｃｏｍｍｕｎｉｔｙ  Ａｎｔｅｎｎａ  ＴｅｌｅＶｉｓｉｏｎ；Ｃａｂｌｅ  Ｔｅｌｅｖｉｓｉｏｎ）/ＦＴＴＨ（Ｆｉｂｅｒ  Ｔｏ  Ｔｈｅ  Ｈｏｍｅ）等のいわゆるブロードバンド接続が普及するのに伴って伸び続けている。ＩＰ電話を実現するためのプロトコルも複数規定されているがＳＩＰ（Ｓｅｓｓｉｏｎ  Ｉｎｉｔｉａｔｉｏｎ  Ｐｒｏｔｏｃｏｌ）と呼ばれるＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）が規定しているＲＦＣ（Ｔｈｅ  Ｒｅｑｕｅｓｔｓ  ｆｏｒ  Ｃｏｍｍｅｎｔｓ）３２６１記載の技術を利用したものが多く見られる。呼制御プロトコルとしてＳＩＰを用いたＩＰ電話方式の一例が、下記特許文献１に開示されている。
【０００３】
【特許文献１】特開２００４−２３５７７８号公報
【発明の開示】
【発明が解決しようとする課題】
【０００４】
現在、ＳＩＰを利用した着信転送方式はＩＥＴＦで議論は行われているがまだ制定されておらず、インターネットドラフト（Ｉｎｔｅｒｎｅｔ  Ｄｒａｆｔ）の状態である。インターネットドラフトであるｄｒａｆｔ−ｉｅｔｆ−ｓｉｐｐｉｎｇ−ｃｃ−ｔｒａｎｓｆｅｒ−０３を参照すると、着信転送の方式として、発信元と着信元が連携することにより実現している。この方式を用いた場合、発信元のＩＰ電話装置と着信元のＩＰ電話装置の双方が着信転送という機能を実装していることが前提となる。
【０００５】
例えば、発信元が着信転送機能を実装していない場合、着信元のメッセージを解釈することができず、結果として着信転送を実現することは不可能となる。しかしながら、このような具体的な機能、方式はあくまでインターネットドラフト段階であり、確定した方式ではないため、現在この方式にて着信転送を実現したとしても、必ずしも将来においての使用が保証されているわけではない。即ち、ＳＩＰにおける着信転送機能の詳細において現在のドラフトから変更があった場合に、ドラフトに基づく現在のシステムでは発信元と着信元との連携がうまく取れなくなり、当該機能が使用出来なくなる可能性を否定出来ない。
【０００６】
本発明は、かかる状況を鑑みてなされたものであり、その目的は、上述のような課題を解決したＩＰ電話装置、ＩＰ電話着信転送方式及びＩＰ電話着信転送方法を提供することにある。
【課題を解決するための手段】
【０００７】
本発明のＩＰ電話装置は、インターネットからの第１のＩＰ電話通信の着信を、転送先ＩＰ電話装置へ着信転送する着信転送機能を有するＩＰ電話装置であって、前記第１のＩＰ電話通信の着信を呼出中状態に保持したまま、予め設定された前記転送先ＩＰ電話装置に第２のＩＰ電話通信の発信を行い、この第２のＩＰ電話通信が開始されたことを認識してから、前記呼出中状態の第１のＩＰ電話通信の着信に応答して前記第１のＩＰ電話通信を開始し、前記第１のＩＰ電話通信の音声データと前記第２のＩＰ電話通信の音声データとを中継転送することを特徴とする。
【０００８】
また、本発明のＩＰ電話装置は、インターネットからの第１のＩＰ電話通信の着信を、転送先ＩＰ電話装置へ着信転送する着信転送機能を有するＩＰ電話装置であって、前記第１のＩＰ電話通信の着信を呼出中状態に保持したまま、予め設定された前記転送先ＩＰ電話装置に第２のＩＰ電話通信の発信を行い、この第２のＩＰ電話通信が開始されたことを認識してから、前記呼出中状態の第１のＩＰ電話通信の着信に応答して前記第１のＩＰ電話通信を開始させる着信転送起動制御手段と、前記第１のＩＰ電話通信の音声データと前記第２のＩＰ電話通信の音声データとを中継転送する転送制御手段と、を備えることを特徴とする。
【０００９】
また、本発明のＩＰ電話装置は、インターネットからの第１のＩＰ電話通信の着信を、転送先ＩＰ電話装置へ着信転送する着信転送機能を有するＩＰ電話装置であって、前記転送先ＩＰ電話装置の番号を予め設定する転送設定制御手段と、前記第１のＩＰ電話通信の着信を呼出中状態に保持したまま、前記転送先ＩＰ電話装置に第２のＩＰ電話通信の発信を行い、この第２のＩＰ電話通信が開始されたことを認識してから、前記呼出中状態の第１のＩＰ電話通信の着信に応答して前記第１のＩＰ電話通信を開始させる着信転送起動制御手段と、前記第１のＩＰ電話通信の音声データと前記第２のＩＰ電話通信の音声データとを中継転送する転送制御手段と、を備えることを特徴とする。
【００１０】
また、本発明のＩＰ電話装置は、インターネットを介しての発信元ＩＰ電話装置からの第１のＩＰ電話通信の着信を、転送先ＩＰ電話装置へ着信転送する着信転送機能を有するＩＰ電話装置であって、着信転送対象となる発信元ＩＰ電話装置の番号と、その発信元ＩＰ電話装置からの着信の転送先のＩＰ電話装置の番号とを対にして予め設定する転送設定制御手段と、前記第１のＩＰ電話通信の発信元が前記転送設定制御手段に設定された着信転送対象であることを認識すると着信転送機能の起動を行う着信判定制御手段と、この着信判定制御手段の起動を受け、前記第１のＩＰ電話通信の着信を呼出中状態に保持したまま、前記転送設定制御手段に前記発信元ＩＰ電話装置と対として設定されている転送先ＩＰ電話装置に第２のＩＰ電話通信の発信を行い、この第２のＩＰ電話通信が開始されたことを認識してから、前記呼出中状態の第１のＩＰ電話通信の着信に応答して前記第１のＩＰ電話通信を開始させる着信転送起動制御手段と、前記第１のＩＰ電話通信の音声データと前記第２のＩＰ電話通信の音声データとを中継転送する転送制御手段と、を備えることを特徴とする。
【００１１】
また、本発明のＩＰ電話装置は、インターネットを介しての発信元ＩＰ電話装置からの第１のＩＰ電話通信の着信を、転送先ＩＰ電話装置へ着信転送する着信転送機能を有するＳＩＰ方式のＩＰ電話装置であって、着信転送対象となる発信元ＩＰ電話装置の番号と、その発信元ＩＰ電話装置からの着信の転送先のＩＰ電話装置の番号とを対にして予め設定する転送設定制御部と、前記第１のＩＰ電話通信の着信ＳＩＰメッセージを解析し、発信元ＩＰ電話装置が前記転送設定制御部に設定された着信転送対象であることを認識すると着信転送機能の起動を行う着信判定制御部と、この着信判定制御部の起動を受け、前記第１のＩＰ電話通信の着信を呼出中状態に保持したまま、前記転送設定制御部に前記発信元ＩＰ電話装置と対として設定されている転送先ＩＰ電話装置に第２のＩＰ電話通信の発信を行い、この第２のＩＰ電話通信が開始されたことを認識してから、前記呼出中状態の第１のＩＰ電話通信の着信に応答して前記第１のＩＰ電話通信を開始させる着信転送起動制御部と、前記第１のＩＰ電話通信の音声パケットと前記第２のＩＰ電話通信の音声パケットとを中継転送するパケット転送制御部と、を備えることを特徴とする。
【００１２】
また、本発明のＩＰ電話装置は、ＳＩＰサーバーの制御の元でインターネットを介して到来した、発信元ＩＰ電話装置からの第１のＩＰ電話通信の着信を、転送先ＩＰ電話装置へ着信転送する着信転送機能を有するＳＩＰ方式のＩＰ電話装置であって、着信転送対象となる発信元ＩＰ電話の番号と、その発信元ＩＰ電話からの着信の転送先のＩＰ電話装置の番号とを対にして予め設定する転送設定制御部と、前記ＳＩＰサーバーから受信した前記第１のＩＰ電話通信の着信を示すＳＩＰメッセージを解析し、発信元ＩＰ電話装置が前記転送設定制御部に設定された着信転送対象であることを認識すると着信転送機能の起動を行う着信判定制御部と、この着信判定制御部の起動を受け、前記第１のＩＰ電話通信の着信について呼出中を示すＳＩＰメッセージを前記ＳＩＰサーバーに送信して呼出中状態に保持したまま、前記転送設定制御部に前記発信元ＩＰ電話装置と対として設定されている転送先ＩＰ電話装置への第２のＩＰ電話通信の発信を示す発信ＳＩＰメッセージを前記ＳＩＰサーバーに送信し、前記転送先ＩＰ電話装置がその第２のＩＰ電話通信の着信に応答して、第２のＩＰ電話通信が開始されたことを示す応答ＳＩＰメッセージを前記ＳＩＰサーバーから受信してから、前記呼出中状態の第１のＩＰ電話通信の着信に応答した事を示す応答ＳＩＰメッセージを前記ＳＩＰサーバーに送信して前記第１のＩＰ電話通信を開始させる着信転送起動制御部と、前記第１のＩＰ電話通信の音声パケットと前記第２のＩＰ電話通信の音声パケットとを中継転送するパケット転送制御部と、を備えることを特徴とする。
【００１３】
本発明のＩＰ電話着信転送方式は、インターネットに接続された第１〜第３のＩＰ電話装置を備え、第１のＩＰ電話装置から第２のＩＰ電話装置への着信を、第３のＩＰ電話装置へ着信転送を行うＩＰ電話着信転送方式において、前記第２のＩＰ電話装置が、前記第１のＩＰ電話装置からのＩＰ電話着信を呼出中状態に保持したまま、予め設定された前記第３のＩＰ電話装置に別の発信を行い、その第３のＩＰ電話装置とのＩＰ電話通話が開始されたことを認識してから、前記呼出中状態の前記第１のＩＰ電話装置からの着信に応答して前記第１のＩＰ電話装置とのＩＰ電話通話を開始する着信転送起動手段と、前記第１のＩＰ電話装置と送受信する音声データと前記第３のＩＰ電話装置と送受信する音声データとを中継転送する転送制御手段と、を備えることを特徴とする。
【００１４】
また、本発明の上記のＩＰ電話着信転送方式では、前記第２のＩＰ電話装置は、着信転送対象となる前記第１のＩＰ電話装置の番号とその第１のＩＰ電話装置からの着信の転送先である第３のＩＰ電話装置の番号とを対にした転送情報を予め設定する転送設定制御手段を、更に備えていても良い。
【００１５】
また、本発明の上記のＩＰ電話着信転送方式では、前記転送設定制御手段は、複数個の前記転送情報の対を設定し、前記第２のＩＰ電話装置は、更に、ＩＰ電話通信の着信メッセージを解析し、前記転送設定制御手段の設定内容により、発信元ＩＰ電話装置が前記転送設定制御部に設定された着信転送対象であることを認識すると、認識された発信元ＩＰ電話装置と対になった転送先ＩＰ電話装置の番号を検出して前記着信転送起動手段に着信転送機能の起動を通知する着信判定制御手段を、備えていても良い。
【００１６】
また、本発明のＩＰ電話着信転送方式は、インターネットに接続された第１〜第３のＩＰ電話装置及びＳＩＰサーバーを備え、第１のＩＰ電話装置から第２のＩＰ電話装置への着信を、第３のＩＰ電話装置へ着信転送を行うＳＩＰによるＩＰ電話の着信転送方式において、前記第２のＩＰ電話装置が、着信転送対象となる前記第１のＩＰ電話装置の番号とその第１のＩＰ電話装置からの着信の転送先である第３のＩＰ電話装置の番号とを対にした転送情報を予め設定する転送設定制御手段と、前記ＳＩＰサーバーから受信したＩＰ電話の着信を示すＳＩＰメッセージを解析し、前記転送設定制御手段の設定内容により、発信元ＩＰ電話装置が着信転送対象である前記第１のＩＰ電話装置であることを認識すると、対になった転送先である前記第３のＩＰ電話装置の番号を検出して着信転送機能の起動を行う着信判定制御手段と、この着信判定起動手段の起動を受け、前記第１のＩＰ電話装置からの着信を示すＳＩＰメッセージに対し、呼出中を示すＳＩＰメッセージを前記ＳＩＰサーバーに送信して前記着信を呼出中状態に保持したまま、前記第３のＩＰ電話装置への発信を要求するＳＩＰメッセージを前記ＳＩＰサーバーに送信し、前記第３のＩＰ電話装置がその呼に応答して第３のＩＰ電話装置とのＩＰ電話通信が開始されたことを示すＳＩＰメッセージを前記ＳＩＰサーバーから受信してから、前記呼出中状態の前記第１のＩＰ電話装置からの着信に応答した事を示すＳＩＰメッセージを前記ＳＩＰサーバーに送信して前記第１のＩＰ電話装置とのＩＰ電話通信を開始する着信転送起動手段と、前記第１のＩＰ電話装置と送受信する音声パケットと前記第３のＩＰ電話装置と送受信する音声パケットとを中継転送する転送制御手段と、を備えることを特徴とする。
【００１７】
本発明のＩＰ電話着信転送方法は、インターネットに接続されたＩＰ電話装置間で、第１のＩＰ電話装置から第２のＩＰ電話装置への着信を第３のＩＰ電話装置へ着信転送を行うＩＰ電話着信転送方法において、前記第２のＩＰ電話装置が、前記第１のＩＰ電話装置からのＩＰ電話着信を呼出中状態に保持したまま、予め設定された前記第３のＩＰ電話装置に別の発信を行い、その第３のＩＰ電話装置とのＩＰ電話通話が開始されたことを認識してから、前記呼出中状態の前記第１のＩＰ電話装置からの着信に応答して前記第１のＩＰ電話装置とのＩＰ電話通話を開始し、前記第１のＩＰ電話装置と送受信する音声データと前記第３のＩＰ電話装置と送受信する音声データとを中継する、ことを特徴とする。
【００１８】
また、本発明のＩＰ電話着信転送方法は、発信元ＩＰ電話装置からインターネットを介して転送元ＩＰ電話装置に第１のＩＰ電話の着信が到来すると、その着信を転送先ＩＰ電話装置へ転送を行うＩＰ電話着信転送方法であって、前記転送元ＩＰ電話装置が、前記第１のＩＰ電話の着信を呼出状態に保持したままで前記転送先ＩＰ電話装置に第２のＩＰ電話の発信を行う第１の手順と、前記転送先ＩＰ電話装置と前記転送元ＩＰ電話装置とが前記第２のＩＰ電話により通話状態になったことを認識する第２の手順と、前記転送元ＩＰ電話装置は前記呼出状態に保持されたままの前記第１のＩＰ電話の着信に応答して前記第１のＩＰ電話を通話状態にする第３の手順と、前記発信元ＩＰ電話装置から前記第１のＩＰ電話により受信した音声データを前記第２のＩＰ電話により前記転送先ＩＰ電話に転送し、前記転送先ＩＰ電話装置から前記第２のＩＰ電話により受信した音声データを前記第１のＩＰ電話により前記発信元ＩＰ電話に転送する第４の手順と、を実行することを特徴とする。
【００１９】
また、本発明の上記のＩＰ電話着信転送方法は、前記転送元ＩＰ電話において前記第１の手順の前に、前記第１のＩＰ電話の着信時に発信元ＩＰ電話の番号を検出し、着信転送対象の発信元電話番号に対応して予め設定されている転送先ＩＰ電話装置の番号を識別する第５の手順を実行し、この第５の手順により識別された転送先ＩＰ電話装置に対して前記第２のＩＰ電話の発信を行っても良い。
【００２０】
また、本発明のＩＰ電話着信転送方法は、インターネットに接続された第１〜第３のＩＰ電話装置及びＳＩＰサーバーを備え、第１のＩＰ電話装置から第２のＩＰ電話装置への着信を、第３のＩＰ電話装置へ着信転送を行うＳＩＰによるＩＰ電話の着信転送方法において、前記第２のＩＰ電話装置が、着信転送対象となる前記第１のＩＰ電話装置の番号とその第１のＩＰ電話装置からの着信の転送先である第３のＩＰ電話装置の番号とを対にした転送情報を予め設定する第１の手順と、前記ＳＩＰサーバーから受信したＩＰ電話の着信を示すＳＩＰメッセージを解析し、前記第１の手順の設定内容により、発信元ＩＰ電話装置が着信転送対象である前記第１のＩＰ電話装置であることを認識すると、対になった転送先である前記第３のＩＰ電話装置の番号を検出して着信転送機能の起動を行う第２の手順と、この第２の手順の起動を受け、前記第１のＩＰ電話装置からの着信を示すＳＩＰメッセージに対し、呼出中を示すＳＩＰメッセージを前記ＳＩＰサーバーに送信して前記着信を呼出中状態に保持したまま、前記第３のＩＰ電話装置への発信を要求するＳＩＰメッセージを前記ＳＩＰサーバーに送信する第３の手順と、前記第３のＩＰ電話装置がその呼に応答して第３のＩＰ電話装置とのＩＰ電話通信が開始されたことを示すＳＩＰメッセージを前記ＳＩＰサーバーから受信してから、前記呼出中状態の前記第１のＩＰ電話装置からの着信に応答し、その応答を示すＳＩＰメッセージを前記ＳＩＰサーバーに送信して前記第１のＩＰ電話装置とのＩＰ電話通信を開始する第４の手順と、前記第１のＩＰ電話装置と送受信する音声パケットと前記第３のＩＰ電話装置と送受信する音声パケットとを中継転送する第５の手順と、を実行することを特徴とする。
【発明の効果】
【００２１】
本発明によれば、ＩＰ電話の着信転送機能は、発信元装置や転送先装置との特殊な連携を行うことなく、着信を受ける転送元装置だけで基本的呼制御動作を使用して実現されているので、相手装置やサーバーの実装機能によらずＩＰ電話の着信転送を実現できる。更に、発信元装置やサーバーとの特殊な連携動作が無いので、ＲＦＣ等の規格が変更になったり改版になっても影響されない。
【発明を実施するための最良の形態】
【００２２】
次に、本発明を実施するための最良の形態について図面を参照して詳細に説明する。まず、図１により、本発明の一実施形態を含む概要構成について説明する。図１において、本発明に関わるＩＰ電話着信転送は、インターネット（ＩＰネットワーク）１０００と、それに接続されるＩＰ電話装置１００、３００、４００及びＳＩＰサーバー２００とで実現される。後に詳述するが、ＩＰ電話装置３００は本発明に基づく特有の構成を備えている。又、ＩＰ電話装置３００においては、着信転送先としてＩＰ電話装置４００が設定されているものとする。
【００２３】
本発明の一実施形態の概要動作を説明する。ＩＰ電話装置１００（発信元）は、インターネット１０００を介して本願発明のＩＰ電話装置３００（転送元）へ、ＩＰ電話方式による発信を行う（第１の呼）。そのときに、ＩＰ電話装置１００から送出された発信情報は、ＳＩＰサーバー２００を経由してＩＰ電話装置３００へ送られる。ＩＰ電話装置３００は、転送先として設定されているＩＰ電話装置４００（転送先）へ、自動的にＩＰ電話方式による別の発信を行う（第２の呼）。そのときに、ＩＰ電話装置３００から送出された発信情報は、ＳＩＰサーバー２００を経由してＩＰ電話装置４００へ送られる。
【００２４】
ＩＰ電話による着信を受けたＩＰ電話装置４００がその着信に応答すると、ＩＰ電話装置４００とＩＰ電話装置３００との間のＩＰ電話方式による通話が確立する（第２の呼の確立）。これに伴い、ＩＰ電話装置３００は、呼出状態で保持中であるＩＰ電話装置１００からのＩＰ電話着信（上記第１の呼）に初めて応答し、ＩＰ電話装置３００とＩＰ電話装置１００との間のＩＰ電話による通話が確立する（第１の呼の確立）。
【００２５】
ＩＰ電話での通話中はＩＰパケット化された音声データがやり取りされる。ＩＰ電話装置４００からの音声データは、まずＩＰ電話装置３００へ送信される。ＩＰ電話装置３００は、ＩＰ電話装置４００から受け取った音声データをＩＰ電話装置１００へ転送し、ＩＰ電話装置１００の利用者は音声を聞くことが出来る。一方、ＩＰ電話装置１００からの音声データは、ＩＰ電話装置３００へ送信され、ＩＰ電話装置３００では、ＩＰ電話装置１００から受け取った音声データをＩＰ電話装置４００へ転送する。これにより、ＩＰ電話装置１００とＩＰ電話装置４００との間で通話が成立する。
【００２６】
図２を参照すると、本発明の一実施形態におけるＩＰ電話装置３００の詳細構成例が示されている。同図において、ＩＰ電話装置３００は、まず、外部とのインタフェースとして、アナログ電話接続口部３０１と、インターネット接続口部３０２と、ＰＣ接続口部３０３を有している。
【００２７】
ＩＰ電話装置３００の内部構成としては、パーソナルコンピュータ（ＰＣ）６００やアナログ電話機５００からの着信転送の設定受付や設定状態の確認を行うための転送設定制御部３１０と、インターネット１０００からＩＰ電話着信が到来した場合に着信パケットの内容を確認して着信転送を起動するかしないかを判断する着信判定制御部３２０と、着信転送起動時に転送先へＩＰ電話発信を行う着信転送起動制御部３３０と、着信転送起動後に音声パケットを発信元や転送先に中継転送するパケット転送制御部３４０と、着信転送を起動せずにＩＰ電話装置３００自身がアナログ電話機５００を使用して通話を行う場合に通話をつかさどる通話制御部３５０とを有している。
【００２８】
図２の各部について更に詳細に説明する。アナログ電話接続口部３０１は、アナログ公衆網やＩＳＤＮ（Ｉｎｔｅｇｒａｔｅｄ  Ｓｅｒｖｉｃｅｓ  Ｄｉｇｉｔａｌ  Ｎｅｔｗｏｒｋ）ターミナルアダプタで使用される一般的なアナログ電話機と接続するためのインターフェースであり、一般的なアナログ電話機の接続に使用されるアナログ電話ケーブル５０１を経由してアナログ電話機５００と接続される。
【００２９】
インターネット接続口部３０２は、インターネット１０００にインターネット接続ケーブル１００１により接続するための接続口部であり、Ｅｔｈｅｒｎｅｔ（登録商標）（イーサネット）インターフェースが一般的となるが、インターネット１０００へ接続するための手段によりそのインタフェース機能や構造が変わる。例えば、接続手段がＡＤＳＬであればＡＤＳＬモデムと接続するための機能を有する接続口部である。接続手段がＦＴＴＨであれば光メディアコンバーターと接続するための機能を有する接続口部となる。接続手段がＣＡＴＶインターネットであればＣＡＴＶモデムと接続するための機能を有する接続口部となる。ＩＰ電話装置３００がＡＤＳＬモデム機能を内蔵すれば、インターネット接続口部３０２は、ＡＤＳＬを直接接続するためにアナログ公衆網と接続するためのアナログ電話インターフェースとなる。ＩＰ電話装置３００が光メディアコンバーター機能を内蔵すれば、インターネット接続口部３０２は、ＦＴＴＨを直接接続するためにＦＴＴＨ回線と接続するための光回線接続インターフェースとなる。ＩＰ電話装置３００がＣＡＴＶモデム機能を内蔵すれば、インターネット接続口部３０２は、ＣＡＴＶを直接接続するためにＣＡＴＶ回線と接続するためのＣＡＴＶ回線接続インターフェースとなる。
【００３０】
インターネット接続ケーブル１００１の種類は、インターネット接続口部３０２の形状により変わる。それがイーサネットインターフェースであればイーサネットケーブルとなり、ＡＤＳＬインターフェースであればアナログ電話ケーブルとなり、ＦＴＴＨインターフェースであれば光回線ケーブルとなり、ＣＡＴＶインターフェースであればＣＡＴＶケーブルとなる。
【００３１】
ＰＣ接続口部３０３は、ＰＣ６００にＰＣケーブル６０１により接続するための接続口部であり、一般的にはイーサネット、ＲＳ−２３２Ｃ等のインターフェースが挙げられる。ＰＣ接続口部３０３及びＰＣケーブル６０１で接続することにより、ＰＣ６００からＩＰ電話装置３００の設定を行ったり確認したりすることができる。利用者はＰＣ６００から、例えばインターネットブラウザーアプリケーションやターミナル制御アプリケーション等により各種設定を行ったり、設定状態を確認することができる。ＰＣ接続口部３０３の具体的構成は、ＩＰ電話装置３００とＰＣ６００との接続手段により異なる。それがイーサネット接続であればイーサネット接続口部となり、シリアル接続であればＲＳ−２３２Ｃ接続口部となる。同様にＰＣケーブル６０１はＰＣ接続口部３０３の形状により異なる。それがイーサネット接続であればイーサネットケーブルとなり、ＲＳ−２３２Ｃ接続であればＲＳ−２３２Ｃケーブルとなる。
【００３２】
転送設定制御部３１０は、アナログ電話機５００やＰＣ６００からの設定要求による着信転送設定の実行、設定内容の保持、設定解除要求に基づく設定解除、設定確認要求による現設定の通知等を行う。尚、転送設定制御部３１０により設定、制御される内容は様々なものが考えられる。まず、着信転送を使用する／使用しないを設定する着信転送起動パラメーター、着信転送先の電話番号を設定する着信転送先パラメーター、発信元により着信転送を起動するか否かを決定するための発信元パラメーター等が挙げられる。図７（ａ）にその一例を示す。このような各パラメーターを複数持つことにより、また組合せることにより様々な着信転送動作バリエーションを作り出すことができる。
【００３３】
着信判定制御部３２０は、インターネット１０００から到来するＩＰ電話着信パケットの内容を解析し、転送設定制御部３１０の設定内容により着信転送を起動するか否かを決定する。転送設定制御部３１０の着信転送起動パラメーターの設定が「着信転送しない」であれば通話制御部３５０に対してＩＰ電話着信の受け付けを通知する。転送設定制御部３１０の着信転送起動パラメーターの設定が「着信転送する」であれば、着信転送起動制御部３３０に対してＩＰ電話着信転送の起動を通知する。
【００３４】
着信転送起動制御部３３０は、着信判定制御部３２０からの着信転送起動の通知を受けてＩＰ電話着信転送動作を起動する。着信転送起動制御部３３０は、転送設定制御部３１０の着信転送先パラメーターから転送先電話番号を読み取り、ＩＰ電話装置３００から転送先ＩＰ電話装置への発信を行う。
【００３５】
パケット転送制御部３４０は、着信転送が成功して発信元と転送先とが通話状態となったときに、発信元から送信されてくる音声パケットを転送先へ転送する処理及び転送先から送信されてくる音声パケットを発信元へ転送する処理をつかさどる。
【００３６】
通話制御部３５０は、着信転送を起動せずにＩＰ電話装置３００に接続されているアナログ電話機５００で通話を行う場合に動作する。アナログ電話機５００へのリンガー信号送出や通話確立後にＩＰパケット化された音声パケットをデジタル−アナログ変換してアナログ電話機５００が受け取れる形に変換する機能を有する。
【００３７】
これら転送設定制御部３１０、着信判定制御部３２０、着信転送起動制御部３３０、パケット転送制御部３４０、通信制御部３５０の機能、動作はＩＰ電話装置３００内に実装された図示されないＣＰＵ、マイクロプロセッサがプログラムを実行することにより実現できる。また、一部の機能や動作、例えば、アナログ電話機５００での通話を実現する通話制御部３５０におけるリンガー信号送出やデジタル−アナログ変換等の機能は良く知られている集積回路等のハードウェアでも実現出来る。
【００３８】
次に、本発明の一実施形態の動作について図面を参照して説明する。まず、図３により、ＩＰ電話装置１００（図１）がＩＰ電話装置３００へＳＩＰプロトコルを使用して通常に発呼／通話する場合、即ち、着信転送を行わない場合の各ＳＩＰメッセージのシーケンスの一例を説明する。
【００３９】
まず、ＩＰ電話装置１００は、ＩＰ電話装置３００へ電話をかけるためにＳＩＰサーバー２００へ「ＩＮＶＩＴＥ」メッセージを送出する（図３−Ｓ１）。ＳＩＰサーバー２００は、受信した「ＩＮＶＩＴＥ」メッセージをチェックし、発信を受け付けたことをＩＰ電話装置１００に通知するために「１００  ＴＲＹＩＮＧ」メッセージを送出する（図３−Ｓ２）。更に、ＳＩＰサーバー２００は、着信先であるＩＰ電話装置３００に対して「ＩＮＶＩＴＥ」メッセージを送出する（図３−Ｓ３）。ＩＰ電話装置１００からのＩＰ電話着信を示す「ＩＮＶＩＴＥ」メッセージを受信したＩＰ電話装置３００は、この「ＩＮＶＩＴＥ」メッセージを受け付けたことをＳＩＰサーバー２００に通知するために「１００  ＴＲＹＩＮＧ」メッセージを送出する（図３−Ｓ４）。次に、ＩＰ電話装置３００は、呼び出し中の状態であることを示す「１８０  ＲＩＮＧＩＮＧ」メッセージを送出する（図３−Ｓ５）。
【００４０】
ＩＰ電話装置３００の着信判定制御部３２０では、受信した「ＩＮＶＩＴＥ」メッセージの内容と転送設定制御部３１０に設定されている着信転送起動パラメーター（この場合は「着信転送しない」に設定）とを確認し、通常に着信を受け付けることを判断すると通話制御部３５０へＩＰ電話着信が来たことを通知する。ＩＰ電話着信の通知を受けた通話制御部３５０は、ＩＰ電話装置３００に接続されたアナログ電話機５００に対してリンガー信号を送出して呼び出しを開始する。
【００４１】
図３のＳ５において「１８０  ＲＩＮＧＩＮＧ」メッセージを受信したＳＩＰサーバー２００は、ＩＰ電話装置３００での呼び出し中を通知するためにＩＰ電話装置１００へ「１８０  ＲＩＮＧＩＮＧ」メッセージを送出する（図３−Ｓ６）。ＩＰ電話装置３００に接続されているアナログ電話機５００において利用者が受話器を取ったこと（応答）を認識すると、通話制御部３５０はリンガー信号を停止し、着信に応答したことを知らせるためにＳＩＰサーバー２００へ「２００  ＯＫ」メッセージを送出する（図３−Ｓ７）。
【００４２】
この「２００  ＯＫ」メッセージを受信したＳＩＰサーバー２００は、ＩＰ電話装置３００が応答したことを知らせるためにＩＰ電話装置１００へ「２００  ＯＫ」メッセージを送出する（図３−Ｓ８）。この「２００  ＯＫ」メッセージを受信したＩＰ電話装置１００は、「２００  ＯＫ」メッセージを受け付けたことを知らせるためにＳＩＰサーバー２００に対して、「ＡＣＫ」メッセージを送出する（図３−Ｓ９）。ＳＩＰサーバー２００は、ＩＰ電話装置３００に対して「２００  ＯＫ」メッセージが受け付けられたことを知らせるために「ＡＣＫ」メッセージを送出する（図３−Ｓ１０）。
【００４３】
この状態においてＩＰ電話装置１００−ＩＰ電話装置３００間のＩＰ電話による通話が成立する（図３−Ｓ１１）。尚、これ以降から通話を行うための音声パケットのやり取りが行われるが、音声パケットは通常、ＳＩＰサーバー２００を介さずにＩＰ電話装置１００−ＩＰ電話装置３００間で直接やり取りされる。即ち、ＩＰ電話装置１００は、自身の音声パケットをＩＰ電話装置３００に送出し、ＩＰ電話装置３００は受信した音声パケットを通話制御部３５０内でアナログ音声に変換して、アナログ電話接続口部３０１に接続されるアナログ電話機５００に送信する。逆に、アナログ電話機５００から送信されるアナログ音声を受け取ったＩＰ電話装置３００の通話制御部３５０は、アナログ音声をデジタル音声パケットに変換し、その音声パケットをＩＰ電話装置１００に送出する。ＩＰ電話装置１００は、受信した音声パケットを処理する。
【００４４】
ＩＰ電話の通話が終了すると、ＩＰ電話装置１００は通話切断の動作を行う。ＩＰ電話装置１００は、通話を切断したことを知らせるためにＳＩＰサーバー２００へ「ＢＹＥ」メッセージを送出する（図３−Ｓ１２）。ＳＩＰサーバー２００は、通話が切断されたことを知らせるためにＩＰ電話装置３００に対して「ＢＹＥ」メッセージを送出する（図３−Ｓ１３）。この「ＢＹＥ」メッセージを受信したＩＰ電話装置３００の通話制御部３５０は、「ＢＹＥ」メッセージを受信したことを知らせるためにＳＩＰサーバー２００に対して「２００  ＯＫ」メッセージを送出する（図３−Ｓ１４）と共に、ＩＰ電話装置３００に接続されているアナログ電話機５００にビジートーン信号を送出する。ＳＩＰサーバー２００は、ＩＰ電話装置１００に対して「２００  ＯＫ」メッセージを送出する。これで通話が終了する。
【００４５】
本願発明においては、図３を使用して説明した以上の動作を基本として、図１で説明したような、ＩＰ電話装置１００（発信元）−ＩＰ電話装置３００（転送元）−ＩＰ電話装置４００（転送先）の着信転送動作を実現する。尚、分かりやすく説明するために、転送設定制御部３１０の設定パラメーターは、着信転送起動パラメーターが１つ（着信転送する）と着信転送先パラメーターが１つ（ＩＰ電話装置４００の番号）が設定されているものとする。
【００４６】
図４に、本願発明のＩＰ電話装置３００が着信転送を起動して通話状態になるまでのＳＩＰメッセージのシーケンスの一例を示す。図４のＳ１からＳ６までの動作は、図３のＳ１からＳ６までの動作と全く同様であるので説明を省略し、その後の動作について説明する。
【００４７】
ＩＰ電話装置３００の着信判定制御部３２０は、受信した「ＩＮＶＩＴＥ」メッセージの内容をチェックし、加えて転送設定制御部３１０に設定されている着信転送起動パラメーターをチェックする。その内容が「着信転送する」に設定されているので、着信判定制御部３２０は、着信転送起動制御部３３０へ着信転送起動通知を行う。着信転送起動制御部３３０では、この通知を受け取ると転送設定制御部３１０に設定されている着信転送先パラメーターを取り出して、転送先のＩＰ電話装置４００の電話番号を取得する。着信転送起動制御部３３０は、転送先へのＩＰ電話発信をするように「ＩＮＶＩＴＥ」メッセージをＳＩＰサーバー２００に送出する（図４−Ｓ２１）。
【００４８】
ＳＩＰサーバー２００は、受信した「ＩＮＶＩＴＥ」メッセージをチェックし、発信を受け付けたことをＩＰ電話装置３００に通知するために「１００  ＴＲＹＩＮＧ」メッセージを送出する（図４−Ｓ２２）。更に、ＳＩＰサーバー２００は、着信転送先であるＩＰ電話装置４００に対して「ＩＮＶＩＴＥ」メッセージを送出する（図４−Ｓ２３）。ＩＰ電話装置３００からのＩＰ電話着信を示す「ＩＮＶＩＴＥ」メッセージを受信したＩＰ電話装置４００は、この「ＩＮＶＩＴＥ」メッセージを受け付けたことをＳＩＰサーバー２００に通知するために「１００  ＴＲＹＩＮＧ」メッセージを送出する（図４−Ｓ２４）。次に、ＩＰ電話装置４００は、呼び出し中の状態であることを示す「１８０  ＲＩＮＧＩＮＧ」メッセージをＳＩＰサーバー２００に送出する（図４−Ｓ２５）。この「１８０  ＲＩＮＧＩＮＧ」メッセージを受信したＳＩＰサーバー２００は、ＩＰ電話４００で呼び出し中であることを知らせるためにＩＰ電話装置３００へ「１８０  ＲＩＮＧＩＮＧ」メッセージを送出する（図４−Ｓ２６）。
【００４９】
ＩＰ電話装置４００は、着信に応答すると、この応答を知らせるためにＳＩＰサーバー２００へ「２００  ＯＫ」メッセージを送出する（図４−Ｓ２７）。この「２００  ＯＫ」メッセージを受信したＳＩＰサーバー２００は、ＩＰ電話装置４００が応答したことを知らせるためにＩＰ電話装置３００へ「２００  ＯＫ」メッセージを送出する（図４−Ｓ２８）。この「２００  ＯＫ」メッセージを受信したＩＰ電話装置３００内の着信転送起動制御部３３０は、「２００  ＯＫ」を受け付けたことを知らせるためにＳＩＰサーバー２００に対して、「ＡＣＫ」メッセージを送出する（図４−Ｓ２９）。ＳＩＰサーバー２００は、ＩＰ電話装置４００に対して「２００  ＯＫ」メッセージが受け付けられたことを知らせるために「ＡＣＫ」メッセージを送出する（図４−Ｓ３０）。この時点で、まず、ＩＰ電話装置３００（転送元）とＩＰ電話装置４００（転送先）とのＩＰ電話通信による通話が可能な状態となる（上述の図１の概要説明における第２呼の確立）。
【００５０】
ＩＰ電話装置３００の着信転送起動制御部３３０は、転送先との通話が確立したことを認識し、次に発信元であるＩＰ電話装置１００との通話を成立させるために、ＳＩＰサーバー２００に対して「２００  ＯＫ」メッセージを送出する（図４−Ｓ７）。この「２００  ＯＫ」メッセージは、発信元ＩＰ電話装置１００からのＩＰ電話の着信（図４−Ｓ５で呼出状態が保持継続中）への応答を示すメッセージである。
【００５１】
この「２００  ＯＫ」メッセージを受信したＳＩＰサーバー２００は、ＩＰ電話装置３００が応答したことを知らせるために、ＩＰ電話装置１００へ「２００  ＯＫ」メッセージを送出する（図４−Ｓ８）。この「２００  ＯＫ」メッセージを受信したＩＰ電話装置１００は、「２００  ＯＫ」を受け付けたことを知らせるためにＳＩＰサーバー２００に対して、「ＡＣＫ」メッセージを送出する（図４−Ｓ９）。ＳＩＰサーバー２００は、ＩＰ電話装置３００に対して「２００  ＯＫ」メッセージが受け付けられたことを知らせるために「ＡＣＫ」メッセージを送出する（図４−Ｓ１０）。
【００５２】
この状態において、呼出中が保持されていた発信元であるＩＰ電話装置１００とＩＰ電話装置３００の間で初めて通話状態が成立する（上述の図１に概要説明における第１呼の確立）。これにより、既に成立していた第２の呼（転送先であるＩＰ電話装置４００−ＩＰ電話装置３００間）と合わせて、ＩＰ電話装置１００（発信元）とＩＰ電話装置４００（転送先）との通話が可能な状態となる。
【００５３】
具体的には、ＩＰ電話装置３００の着信転送起動制御部３３０は、発信元のＩＰ電話装置１００との通話（上記第１の呼）、及び転送先のＩＰ電話装置４００との通話（上記第２の呼）が各々確立したことを認識すると、パケット転送制御部３４０に対して発信元の情報と転送先の情報を通知する。パケット転送制御部３４０は、これらの情報を受け取り音声パケットの転送先を認識する。
【００５４】
発信元であるＩＰ電話装置１００では、通話（発呼）が確立したので自身の音声パケットをＩＰ電話装置３００に向けて送出する（図４−Ｓ４０）。ＩＰ電話装置１００からの音声パケットを受信したＩＰ電話装置３００のパケット転送制御部３４０は、受信した音声パケットがＩＰ電話装置１００からのものであると認識すると、中継転送動作を行う。即ち、受信した音声パケットの宛先アドレスやポート番号の情報等がＩＰ電話装置４００のものに変更され、ＩＰ電話装置４００に対して送出される（図４−Ｓ４１）。
【００５５】
転送先であるＩＰ電話装置４００では、通話（着呼）が確立したので自身の音声パケットをＩＰ電話装置３００に向けて送出する（図４−Ｓ４２）。ＩＰ電話装置４００からの音声パケットを受信したＩＰ電話装置３００のパケット転送制御部３４０は、受信した音声パケットがＩＰ電話装置４００からのものであると認識すると、中継転送動作を行う。即ち、受信した音声パケットの宛先アドレスやポート番号の情報等がＩＰ電話装置１００のものに変更され、ＩＰ電話装置１００に対して送出される（図４−Ｓ４３）。このようにして、発信元であるＩＰ電話装置１００と転送先であるＩＰ電話装置４００の通話が成立する。
【００５６】
次に、このようにして成立した通話を切断する場合について説明する。図５には発信元であるＩＰ電話装置１００から通話切断を行った場合のシーケンスの一例を、図６には転送先であるＩＰ電話装置４００から通話切断を行った場合のシーケンスの一例を示す。まず、図５によりＩＰ電話装置１００から通話切断を行った場合を説明する。
【００５７】
発信元であるＩＰ電話装置１００は、通話を切断するために「ＢＹＥ」メッセージをＳＩＰサーバー２００へ送出する（図５−Ｓ１２）。この「ＢＹＥ」メッセージを受信したＳＩＰサーバー２００は、ＩＰ電話装置１００が通話切断を行ったことを知らせるためにＩＰ電話装置３００に対して「ＢＹＥ」メッセージを送出する（図５−Ｓ１３）。ＩＰ電話装置３００のパケット転送制御部３４０は、ＩＰ電話装置１００が通話を切断したことを認識して「２００  ＯＫ」メッセージをＳＩＰサーバー２００へ送出する（図５−Ｓ１４）。この「２００  ＯＫ」メッセージを受信したＳＩＰサーバー２００は、ＩＰ電話装置１００へ「ＢＹＥ」メッセージが受け付けられたことを知らせるために「２００  ＯＫ」メッセージを送出する（図５−Ｓ１５）。
【００５８】
発信元であるＩＰ電話装置１００との通話が切断されたことを認識したＩＰ電話装置３００のパケット転送制御部３４０は、転送先であるＩＰ電話装置４００との通話を切断するために「ＢＹＥ」メッセージをＳＩＰサーバー２００に対して送出する（図５−Ｓ５１）。この「ＢＹＥ」メッセージを受信したＳＩＰサーバー２００は、ＩＰ電話装置３００が通話切断を行ったことを知らせるためにＩＰ電話装置４００に対して「ＢＹＥ」メッセージを送出する（図５−Ｓ５２）。ＩＰ電話装置４００は、通話相手が通話を切断したことを認識して「２００  ＯＫ」メッセージをＳＩＰサーバー２００へ送出する（図５−Ｓ５３）。「２００  ＯＫ」メッセージを受信したＳＩＰサーバー２００は、ＩＰ電話装置３００へ「ＢＹＥ」メッセージが受け付けられたことを知らせるために「２００  ＯＫ」メッセージを送出する（図５−Ｓ５４）。これによりＩＰ電話装置３００は着信転送による通話が終了したことを認識し、アイドル状態に戻る。
【００５９】
次に、図６によりＩＰ電話装置４００から通話切断を行った場合を説明する。転送先であるＩＰ電話装置４００は、通話を切断するために「ＢＹＥ」メッセージをＳＩＰサーバー２００へ送出する（図６−Ｓ６１）。この「ＢＹＥ」メッセージを受信したＳＩＰサーバー２００は、ＩＰ電話装置４００が通話切断を行ったことを知らせるためにＩＰ電話装置３００に対して「ＢＹＥ」メッセージを送出する（図６−Ｓ６２）。これによりＩＰ電話装置３００のパケット転送制御部３４０は、ＩＰ電話装置４００が通話を切断したことを認識して、「２００  ＯＫ」メッセージをＳＩＰサーバー２００へ送出する（図６−Ｓ６３）。この「２００  ＯＫ」メッセージを受信したＳＩＰサーバー２００は、ＩＰ電話装置４００へ「ＢＹＥ」メッセージが受け付けられたことを知らせるために「２００  ＯＫ」メッセージを送出する（図６−Ｓ６４）。
【００６０】
転送先であるＩＰ電話装置４００との通話が切断されたことを認識したＩＰ電話装置３００のパケット転送制御部３４０は、発信元であるＩＰ電話装置１００との通話を切断するために「ＢＹＥ」メッセージをＳＩＰサーバー２００に対して送出する（図６−Ｓ６５）。この「ＢＹＥ」メッセージを受信したＳＩＰサーバー２００は、ＩＰ電話装置３００が通話切断を行ったことを知らせるためにＩＰ電話装置１００に対して「ＢＹＥ」メッセージを送出する（図６−Ｓ６６）。ＩＰ電話装置１００は、通話相手が通話を切断したことを認識して「２００  ＯＫ」メッセージをＳＩＰサーバー２００へ送出する（図６−Ｓ６７）。この「２００  ＯＫ」メッセージを受信したＳＩＰサーバー２００は、ＩＰ電話装置３００へ「ＢＹＥ」メッセージが受け付けられたことを知らせるために「２００  ＯＫ」メッセージを送出する（図６−Ｓ６８）。これによりＩＰ電話装置３００は着信転送による通話が終了したことを認識し、アイドル状態に戻る。
【００６１】
以上説明したように、本発明の一実施形態においては、着信転送動作を実施するに当たって通常の発信、呼出、応答、切断、などの基本的な呼制御に関するメッセージのやり取りで実行している。即ち、ＳＩＰ方式での着信転送機能に関する特殊なメッセージやコマンドを使用しないので、ＳＩＰサーバー２００は転送元ＩＰ電話装置３００を通常の基本的な発信、着信、切断を行うメッセージしか送受信しない端末として扱うことが出来る。また、発信元ＩＰ電話装置１００や転送先ＩＰ電話装置４００もＳＩＰ方式による通常のＩＰ電話の通話を行う端末で充分であり、ＳＩＰによる着信転送機能を実装する必要がない。例えば、ＩＰ電話装置１００とＩＰ電話装置４００との間の通話の開始、終了について着目すると、図３に示したシーケンスで使用する各メッセージと、図４及び図５（ＩＰ電話装置１００からの切断時）に示したシーケンスで使用する各メッセージ（図４のＳ１−Ｓ６及びＳ７−Ｓ１０、図５のＳ１２−Ｓ１５）とは同じであり、着信転送機能を実現するための特殊なメッセージを使用していない。
【００６２】
よって、本発明の一実施形態に示すようなＩＰ電話装置３００を用いることにより、ＳＩＰサーバー２００、ＩＰ電話装置１００、４００共に現在ドラフト中のＳＩＰによる着信転送機能に依存せずに着信転送を実現出来る。即ち、これらの装置が特殊なメッセージを解釈する必要無しに、着信転送を実現出来るので、現在のドラフトに変更があったとしても影響を受けない。
【００６３】
また、本発明の着信転送機能を使用するユーザーは、回線事業者が提供する着信転送サービス等に加入することなく着信転送機能を使用することができ、料金も転送先までの通話料金を負担するだけでよい。更に、着信転送を受けた発信元ＩＰ電話装置１００のユーザーはＩＰ電話装置３００迄の通話料金負担でよい。
【００６４】
尚、以上に説明した実施形態においては、着信転送の起動は１つの着信を１つの転送先へ転送するだけのものを説明したが、ＩＰ電話装置３００の転送設定制御部３１０の設定パラメーターを追加することによりさまざまなバリエーションを持たせることができる。これは、着信転送完了後、ＩＰ電話装置３００は発信元の音声パケットを転送先に転送し、転送先の音声パケットを発信元に転送するだけで実現しているからである。例えば、図７（ｂ）に示すように、転送設定制御部３１０の設定パラメーターに発信元情報と転送先情報をペア（対）とした転送情報として、転送拡張パラメーターを必要なだけ定義することにより、複数の発信元（ＩＰ電話装置１００、ＸＸＸ、…）からの着信を別々の転送先（ＩＰ電話装置４００、ＹＹＹ、…）に同時に転送を実現することが可能となる。
【００６５】
着信転送を複数起動するシーケンスは、図４に記載したシーケンスを複数起動すれば良い。要点は、ＩＰ電話装置３００の着信転送起動制御部３３０が、転送設定制御部３１０の転送拡張パラメーターを参照して発信元情報とペアになった転送先へ着信転送を起動することである。更に、転送拡張パラメーターに一致しない発信元からの着信については、ＩＰ電話装置３００自身で着信を受け付け、ＩＰ電話装置３００に接続されているアナログ電話機５００で通話することも可能となる。ＩＰ電話装置３００自身が通話を行う場合は図３のシーケンスと同じである。
【００６６】
尚、本発明は上述の実施形態のみに限定されるものではない。例えば、転送設定制御部３１０における各種パラメーターの種類や組合せ等は必要に応じて変更出来る。本発明の要旨を逸脱しない範囲で種々変形して実施することが出来る。
【図面の簡単な説明】
【００６７】
【図１】本発明の一実施形態を含む概要構成を示すブロック図である。
【図２】本発明の一実施形態におけるＩＰ電話装置３００の詳細構成を示すブロック図である。
【図３】ＩＰ電話装置がＳＩＰプロトコルを使用して通常に通話する場合のＳＩＰメッセージのシーケンスの一例を示す図である。
【図４】本願発明の一実施形態において着信転送を起動して通話状態になるまでのＳＩＰメッセージのシーケンスの一例を示す図である。
【図５】本願発明の一実施形態において発信元ＩＰ電話装置１００から通話切断を行った場合のＳＩＰメッセージのシーケンスの一例を示す図である。
【図６】本願発明の一実施形態において転送先ＩＰ電話装置４００から通話切断を行った場合のＳＩＰメッセージのシーケンスの一例を示す図である。
【図７】図２のＩＰ電話装置３００における転送設定制御部３１０内のパラメーターの設定例を示す図である。
【符号の説明】
【００６８】
１００    ＩＰ電話装置
２００    ＳＩＰサーバー
３００    ＩＰ電話装置
４００    ＩＰ電話装置
５００    アナログ電話機
６００    ＰＣ
１０００    インターネット
３０１    アナログ電話接続口部
３０２    インターネット接続口部
３０３    ＰＣ接続口部
３１０    転送設定制御部
３２０    着信判定制御部
３３０    着信転送起動制御部
３４０    パケット転送制御部
３５０    通話制御部
【図１】
2007049281.tif 000003
【図２】
2007049281.tif 000004
【図３】
2007049281.tif 000005
【図４】
2007049281.tif 000006
【図５】
2007049281.tif 000007
【図６】
2007049281.tif 000008
【図７】
2007049281.tif 000009